(57)【要約】【課題】導通部とＩＣチップとの損傷を少なくすること。【解決手段】複写機は、トナーボトル２０がハウジング１４ａに装着されると、ＩＣチップ２１ｂが導通部３５ａに接触してＩＣチップ２１ｂにトナーボトルに関する情報を伝達可能な状態になる。トナーボトル２０が回転すると、ＩＣチップ２１ｂと導通部３５ａは、接触状態を維持してトナーボトルとともに回転する。このように、トナーボトル２０の挿入方向Ｈで、ＩＣチップ２１ｂが導通部３５ａに接触するので、ＩＣチップ２１ｂと導通部３５ａとの損傷と、接触不良とが少ない。【選択図】図８
2017078785.tif 000002
【特許請求の範囲】
【請求項１】
装着されるトナー収納容器を回動可能に支持する容器支持手段と、
前記容器支持手段への前記トナー収納容器の装着動作に伴って、前記トナー収納容器に設けられた該トナー収納容器に関する情報を伝達する情報伝達手段に接触し、前記トナー収納容器が回動する際に前記接触状態を保持する、前記情報伝達手段からの情報を授受可能な情報授受手段と、を備えた、
ことを特徴とするトナー容器装着装置。
【請求項２】
前記情報授受手段は、前記トナー収納容器が前記容器支持手段に挿入されたとき、前記情報伝達手段に接触し、前記トナー収納容器が回動方向へ移動するとき前記接触を維持して前記トナー収納容器の回動に伴って前記異なる方向へ移動可能である、
ことを特徴とする請求項１に記載のトナー容器装着装置。
【請求項３】
前記情報授受手段は、前記トナー収納容器が前記容器支持手段に挿入されたとき、前記情報伝達手段に接触し、前記トナー収納容器が回動方向へ移動しても、前記接触を維持したままで前記情報授受手段が固定されている位置に留まっている、
ことを特徴とする請求項１に記載のトナー容器装着装置。
【請求項４】
前記容器支持手段は、回動方向に沿ったガイド手段を有し、
前記情報授受手段は、前記ガイド手段に移動可能に設けられている、
ことを特徴とする請求項１又は２に記載のトナー容器装着装置。
【請求項５】
前記情報授受手段は、前記トナー収納容器の装着動作に伴って、前記トナー収納容器の回動に伴ってトナー供給部を開閉する開閉蓋に設けられた前記情報伝達手段と接触し、前記トナー収納容器が回動方向へ移動した場合、前記開閉蓋に設けられた前記情報伝達手段との接触を保持する、
ことを特徴とする請求項１又は３に記載のトナー容器装着装置。
【請求項６】
前記容器支持手段は、円筒形状の前記トナー収納容器を軸心方向に着脱可能に支持し、前記容器支持手段に挿入された状態で、前記軸心方向に対して交差する方向に回転可能に支持する、
ことを特徴とする請求項１乃至５のいずれか１項に記載のトナー容器装着装置。
【請求項７】
前記情報授受手段は、前記情報伝達手段の前記トナー収納容器に関する情報を記憶する素子に接離可能であり、該素子と接触した状態で、前記トナー収納容器に関する情報の記憶と読出しを前記素子に対して行う制御手段に接続された電気接触子を有している、
ことを特徴とする請求項１乃至６のいずれか１項に記載のトナー容器装着装置。
【請求項８】
シートに前記トナー収納容器から供給されるトナー画像を形成する画像形成手段と、
トナー画像をシートに定着する定着手段と、を備え、
前記画像形成手段は、請求項１乃至７のいずれか１項に記載のトナー容器装着装置を有し、該トナー容器装着装置のトナー現像処理によって、シートにトナー画像を形成する、
ことを特徴とした画像形成装置。
【発明の詳細な説明】
【技術分野】
【０００１】
本発明は、トナー容器装着装置と、このトナー容器装着装置を備えた画像形成装置とに関する。
【背景技術】
【０００２】
従来、画像形成装置には、トナー容器装着装置によって、シートにトナー画像を形成するものがある。トナー容器装着装置は、トナー（現像剤）の消費切れを防止するため、トナーを収容したトナーボトル（トナー収納容器）を交換できるようになっている。そして、トナーボトルには、トナーの使用量や使用限界の管理データ等のトナーボトルに関する情報を記憶できるＩＣチップ（情報伝達手段、素子）が設けられているものがある（特許文献１）。
【０００３】
このＩＣチップに対する情報の書き込み、読出しは、トナーボトルをトナー容器装着装置のハウジング（本体）に装着したときに行なわれている。このため、トナーボトルをトナー容器装着装置のハウジングに装着する際に、ＩＣチップと、トナー容器装着装置のハウジングを介して画像形成装置の本体の制御部とを電気的に接続する必要がある。
【先行技術文献】
【特許文献】
【０００４】
【特許文献１】特開２００４−１３９０３１号公報
【発明の概要】
【発明が解決しようとする課題】
【０００５】
従来のトナー容器装着装置における、ＩＣチップとトナー容器装着装置の本体との電気的な接続は、トナーボトルをトナー容器装着装置の本体に挿入した後、ＩＣチップとトナー容器装着装置の本体の電気接触子（情報授受手段）との接触によって行われている。ところが、ＩＣチップと電気接触子との接触は、トナーボトルをトナー容器装着装置の本体に挿入後、挿入方向と異なる方向へ回転（移動）させたときに、行われている。
【０００６】
このため、従来のトナー容器装着装置は、ＩＣチップと電気接触子とが摺動して接触するようになっており、この摺動によりＩＣチップと接触子とが損傷し、ＩＣチップへのトナーボトルに関する情報の読出し、書き込みを確実に行えないことがあった。
【０００７】
また、このようなトナー容器装着装置を備えた従来の画像形成装置は、トナー容器装着装置からのトナーの供給不足が生じて、シートに形成するトナー画像の品質を低下させることがあった。
【０００８】
本発明は、トナー収納容器に設けられたトナー収納容器に関する情報を伝達する情報伝達手段と接触する情報授受手段の損傷を少なくしたトナー容器装着装置と、このトナー容器装着装置を備えた画像形成装置とを提供することを目的としている。
【課題を解決するための手段】
【０００９】
本発明のトナー容器装着装置は、装着されるトナー収納容器を回動可能に支持する容器支持手段と、前記容器支持手段への前記トナー収納容器の装着動作に伴って、前記トナー収納容器に設けられた該トナー収納容器に関する情報を伝達する情報伝達手段に接触し、前記トナー収納容器が回動する際に前記接触状態を保持する、前記情報伝達手段からの情報を授受可能な情報授受手段と、を備えた、ことを特徴としている。
【００１０】
本発明の画像形成装置は、シートに前記トナー収納容器から供給されるトナー画像を形成する画像形成手段と、トナー画像をシートに定着する定着手段と、を備え、前記画像形成手段は、上記のトナー容器装着装置を有し、該トナー容器装着装置のトナー現像処理によって、シートにトナー画像を形成する、ことを特徴としている。
【発明の効果】
【００１１】
本発明によれば、トナー収納容器に設けられたトナー収納容器に関する情報を伝達する情報伝達手段と接触する情報授受手段の損傷を少なくすることができる。
【００１２】
本発明の画像形成装置は、情報伝達手段と情報授受手段との損傷を少なくしたトナー容器装着装置を備えているので、トナー容器装着装置からのトナーの供給不足が生じることがなく、トナー画像の品質の低下を防止することができる。
【図面の簡単な説明】
【００１３】
【図１】本発明の実施形態の画像形成装置としての複写機のシート搬送方向に沿った断面概略図である。
【図２】本発明のトナー容器装着装置としての第１実施形態の現像器のハウジングに、トナーボトルを装着するときの現像器の外観斜視図である。
【図３】図２の現像器のハウジングにトナーボトルを装着する装着動作説明用の現像器の図であり、外観斜視図である。（Ａ）は、現像器のハウジングにトナーボトルを挿入した図である。（Ｂ）は、トナーボトルを（Ａ）の挿入状態から矢印Ｄ方向に約９０度回転させて、トナーボトルの装着を完了した図である。
【図４】図２の現像器のトナーボトルに設けられたＩＣチップ保持部の外観斜視図である。（Ａ）は、ＩＣチップ保持部をトナーボトルの手前側（先端側）から見た図である。（Ｂ）は、ＩＣチップ保持部をトナーボトルの奥側（後端側）から見た図である。
【図５】図２の現像器のハウジングのガイド部と、ガイド部に設けられたセンサユニットとの外観斜視図である。
【図６】図５のセンサユニットの図である。（Ａ）は、センサユニットの斜視図である。（Ｂ）は、センサユニットを背面側から見た図である。（Ｃ）は、導通部保持部材の外観斜視図である。
【図７】図２の現像器において、トナーボトルをハウジングに挿入して回転させたときの図である。（Ａ）は、トナーボトルをハウジングに挿入したときの図である。（Ｂ）は、トナーボトルをハウジングに挿入した後、矢印Ｄ方向に回転させて、ハウジングに装着させた図である。
【図８】図２の現像器において、トナーボトルをハウジングに挿入するときの図である。（Ａ）は、トナーボトルをハウジングに挿入方向に挿入しているときの図である。（Ｂ）は、トナーボトルをハウジングに挿入した図である。
【図９】図８（Ｂ）のＩＣチップ保持部とセンサユニットとの斜視図である。
【図１０】本発明のトナー容器装着装置としての現像器のハウジングにトナーボトルを装着するときの現像器の外観斜視図である。
【図１１】図１０の現像器のハウジングにトナーボトルを装着する装着動作説明用の現像器の図であり、外観斜視図である。（Ａ）は、現像器のハウジングにトナーボトルを挿入した図である。（Ｂ）は、（Ａ）の挿入状態からトナーボトルを矢印Ｄ方向に約９０度回転させて、トナーボトルの装着を完了した図である。
【図１２】図１０の現像器のトナーボトルの外観斜視図である。（Ａ）は、トナーボトルを手前側から見た外観斜視図である。（Ｂ）は、（Ａ）のＩＣチップ保持部の拡大図である。（Ｃ）は、トナーボトルの奥側の部分の斜視図である。
【図１３】図１０の現像器のハウジングの内部に設けられたセンサユニットの外観図である。（Ａ）は、現像器の正面図でありセンサユニットの配置を示した図である。（Ｂ）は、（Ａ）のＦ−Ｆ矢視断面図である。
【図１４】図１３（Ｂ）のセンサユニット周辺の拡大図である。
【図１５】図１０の現像器のトナーボトルをハウジングに挿入して回転させたときの図である。（Ａ）は、トナーボトルをハウジングに挿入したときの図である。（Ｂ）は、トナーボトルをハウジングに挿入した後、矢印Ｄ方向に回転させて、装着位置に装着させた図である。
【図１６】図１５の概略模式図である。（Ａ）は、図１５（Ａ）に対応する図である。（Ｂ）は、図１５（Ｂ）に対応する図である。
【発明を実施するための形態】
【００１４】
以下、本発明の実施の形態の画像形成装置としての複写機と、複写機に設けられたトナー容器装着装置とを図に基づいて説明する。
【００１５】
（複写機（画像形成装置））
図１は、本発明の実施形態の画像形成装置としての複写機のシート搬送方向に沿った断面概略図である。複写機は、静電転写プロセスによりシートにトナー画像を形成するようになっている。静電転写プロセスによりシートにトナー画像を形成するものとして、複写機以外に、プリンタ、ファクシミリ、またはそれらの複合機などがある。このため、画像形成装置は、複写機に限定されない。画像形成装置は、プリンタ、ファクシミリ、またはそれらの複合機なども含むものとする。
【００１６】
複写機１１０は、外部のコンピュータから送られてくる画像情報や、原稿読み取りユニット１２６で取り込んだ画像情報を、レーザ発光書込ユニット１１１によって光変調情報に変換し、感光ドラム１１８にスポット状に結像して静電潜像として形成する。感光ドラム１１８上の静電潜像は、トナー容器装着装置としての現像器１４（２１４）によって、トナー画像として、可視像化される。現像器１４（２１４）は、トナーボトル２０から供給されるトナーによって、静電潜像をトナー現像処理して可視像化するようになっている。
【００１７】
一方、複写機１１０の装置本体１１０Ａの下部に配置されたメイン給紙ユニット１１２の給紙カセット１１２ａには、シートＰが収納されている。シートＰは、給紙加圧ばね１１２ｃにより押し上げられるカセット中板１１２ｂに載置されている。シートは、給紙加圧ばね１１２ｃによって押し上げられて、給紙ローラ１１２ｄに圧接される。給紙ローラ１１２ｄは、シートを給紙カセット１１２ａから、給紙通路１１４に送り出し、回転を停止しているレジストローラ対１１５ａ，１１５ｂのニップに突き当てる。レジストローラ対１１５ａ，１１５ｂは、トナー画像を担持する像担持体としての感光ドラム１１８上のトナー画像の位置に合わせて、シートを感光ドラム１１８と転写ローラ１１７とのニップに送り込む。
【００１８】
図１において、メイン給紙ユニット１１２の左側には、定型サイズのシートや、不定型サイズのシートを供給できるマルチ給紙ユニット１１３が設けられている。このマルチ給紙ユニット１１３からも、シートを給紙通路１１４に供給して、レジストローラ対１１５ａ，１１５ｂに搬送することができる。
【００１９】
転写ローラ１１７には転写バイアスが印加されている。転写ローラ１１７は、転写バイアスによって、感光ドラム１１８上に形成されているトナー画像をシートに転写して、そのシートを感光ドラム１１８とで、定着器１２１に搬送する。定着器（定着手段）１２１は、加熱された筒状の定着フィルム１２１ａと加圧ローラ１２１ｂとでシートを挟み、回転しながら加熱加圧して、シートにトナー画像を定着する。そして、定着器１２１は、シートを排紙部１２４の排紙通路１２２に送り出し、排紙通路１２２に設けられた排紙ローラ対１２３に搬送する。排紙ローラ対１２３は、シートを排紙トレイ１２５に排出する。
【００２０】
シートの両面にトナー画像を形成する場合、排紙ローラ対１２３は、シートを排紙トレイ１２５に排出している途中において逆回転する。シートは、切替部材１３８の案内によって、両面搬送路１２８に送り込まれる。この間、シートは、スイッチバック搬送されたことになり、裏返しになる。両面搬送路１２８の両面搬送ローラ対１２９ａ，１２９ｂは、回転停止しているレジストローラ対１１５ａ，１１５ｂにシートを送り込む。その後、シートは、一方の面に画像を形成したときと同様にして、他方の面にもトナー画像を転写され、定着されて排紙トレイ１２５に排出される。
【００２１】
以上の説明において、感光ドラム１１８、転写ローラ１１７、現像器（トナー容器装着装置）１４（２１４）等は、画像形成部（画像形成手段）１７０を構成している。
【００２２】
また、図１において装置本体１１０Ａの左側の部分は、破線で示す部分で装置本体１１０Ａを開閉できる開閉扉１２７になっている。開閉扉１２７には、マルチ給紙ユニット１１３、レジストローラ対の一方のローラ１１５ｂ、転写ローラ１１７、両面搬送路１２８の大部分、両面搬送ローラ対１２９ａ，１２９ｂなどが設けられている。このため、開閉扉１２７は、支持軸１３９を中心にして、レジストローラ対１１５ａ，１１５ｂ周辺の給紙通路１１４の一部分と、感光ドラム１１８の周辺とを開放できるようになっている。また、装置本体１１０Ａの手前側は、不図示の前扉によって、画像形成部１７０の手前側を開放して、トナーボトル２０の交換が出来るようになっている。
【００２３】
（現像器（トナー容器装着装置））
以下、本発明のトナー容器装着装置としての第１実施形態の現像器１４及び第２実施形態の現像器２１４とを図に基づいて説明する。第１実施形態の現像器１４（図２乃至図９）は、センサユニット３０が被装着部１４ａａに移動自在に設けられ、ＩＣチップ２１ｂがトナーボトル２０に固定的に設けられている。これに対して、第２実施形態の現像器２１４（図１０乃至図１６）は、センサユニット２３０が被装着部１４ａａに固定的に設けられ、ＩＣチップ２１ｂがトナーボトル２０に移動自在に設けられている。
【００２４】
なお、各図における矢印Ｈは被装着部１４ａａへのトナーボトル２０の挿入方向であり、矢印Ｄはトナーボトル２０を被装着部１４ａａから取り出す方向である。挿入方向Ｈと取出し方向Ｇ方向との両方向を着脱方向Ｈ，Ｇとも言う。また、着脱方向Ｈ，Ｇは、被装着部１４ａａに着脱される際のトナーボトル２０の軸心方向でもある。さらに、矢印Ｈ方向は奥側であり、矢印Ｇ方向は手前側である。矢印Ｄ，Ｅは、トナーボトル２０の回転方向であり、着脱方向Ｈ，Ｇに対して直交する方向（異なる方向）である。
【００２５】
（第１実施形態の現像器）
本発明のトナー容器装着装置としての第１実施形態の現像器１４を図２乃至図９に基づいて説明する。図２は、現像器１４のハウジング１４ａに、トナーボトル２０を装着するときの現像器１４の外観斜視図である。図３は、現像器１４のハウジング１４ａにトナーボトル２０を装着する装着動作説明用の図であり、現像器１４の外観斜視図である。図３（Ａ）は、現像器１４のハウジング１４ａにトナーボトル２０を挿入した図である。図３（Ｂ）は、トナーボトル２０を図３（Ａ）のハウジング１４ａに挿入状態から矢印Ｄ方向に約９０度回転させて、トナーボトル２０の装着を完了した図である。
【００２６】
現像器１４は、感光ドラム１１８と対向して複写機１１０の装置本体１１０Ａ内に配置されて、感光ドラム１１８にトナー（現像剤）を供給し、感光ドラム１１８上の静電潜像をトナー画像として、可視像化するようになっている。図２、図３において、現像器１４は、ハウジング（容器支持手段）１４ａ、現像スリーブ（トナー現像部）１４ｂ、トナーボトル（トナー収納容器）２０、ＩＣチップ保持部２１及びセンサユニット３０等で構成されている。
【００２７】
ハウジング１４ａの一方の端部には、現像スリーブ１４ｂが設けられている。ハウジング１４ａの他方の端部は、トナーボトル２０が着脱される被装着部１４ａａになっている。被装着部１４ａａの入口には、ハウジング１４ａの一部を形成する、長さの短い樋状のガイド部１４ｃがボルト・ナット１４ｆによって取付けられている。被装着部１４ａａと現像スリーブ１４ｂとの中間部１４ａｂは、トナーボトル２０から供給されたトナーを現像スリーブ１４ｂに送るために一時的に溜めるようになっている。
【００２８】
後述する図５に示すように、被装着部１４ａａの入口には、ガイドレール１４ｄが設けられている。ガイドレール（ガイド手段）１４ｄは、トナーボトル２０の着脱方向Ｈ，Ｇ方向に対して直交する方向Ｄ，Ｅに向いて、ガイド部１４ｃに設けられている。ガイドレール１４ｄには、トナーボトル２０がハウジング１４ａの被装着部１４ａａに装着されて矢印Ｄ，Ｅ方向に回転するときの回転中心を曲率中心にした円弧状の長孔であるガイド溝１４ｅが形成されている。すなわち、ガイドレール１４ｄは、トナーボトル２０の回動方向に沿って形成されている。
【００２９】
図２に示すように、現像スリーブ１４ｂは、トナーを担持してハウジング１４ａの端部から露出し、感光ドラム１１８に接触して感光ドラム１１８の外周表面上にトナーを供給するようになっている。このため、現像スリーブ１４ｂは、感光ドラム１１８の表面上に形成された静電潜像を現像する回転自在なスリーブ（非磁性の金属管）からなるローラであり、内部に回転自在な磁石を有している。磁石は、軸方向に長い磁石であり、複数の極が周方向に配置されている。
【００３０】
図２に示すように、トナーボトル２０は、円筒形状をしており、内部に、感光ドラム１１８にトナー画像を形成するためのトナー（現像剤）を収納している。トナーボトル２０は、ガイド部１４ｃを案内にして、被装着部１４ａａに着脱可能に装着されるようになっている。
【００３１】
トナーボトル２０を被装着部１４ａａに装着する動作を説明する。図２において、トナーボトル２０は、ガイド部１４ｃを案内にして、被装着部１４ａａに矢印Ｈ方向に、ユーザによって挿入される。
【００３２】
その後、図３（Ａ）に示すように、トナーボトル２０は、被装着部１４ａａ内で、手動にて所定の位置まで矢印Ｄ方向に回転後、不図示のモータによって図３（Ａ）の矢印Ｄ方向に左回転する。被装着部１４ａａに設けられた図示しないシャッタがトナーボトル２０と連動して被装着部１４ａａ内で周方向に移動する。また、トナーボトル２０の図示しないシャッタも開く。これにより、トナーボトル２０の図示しないトナー供給口と、ハウジング１４ａの図示しないトナー受給口とが開口される。これと同時にトナーボトル２０に設けられた図示しない凸部が被装着部１４ａａに設けられた図示しないストッパに突き当たる。これによりトナーボトル２０は図３（Ｂ）に示す装着位置に位置決めされる。すなわち、トナーボトル２０は、円筒形状をして、軸心方向Ｈ，Ｇに着脱可能であり、被装着部１４ａａに挿入された状態で、軸心方向に対して交差する方向Ｄ，Ｅに回転可能になっており、矢印Ｄ方向に回転して装着位置に装着（固定）されたことになる。
【００３３】
トナーを使い切って空になったトナーボトル２０や、メンテナンス時のトナーボトル２０は、手動にて図３（Ｂ）の矢印Ｄ方向とは反対の矢印Ｅ方向に回転させられた後、ユーザによって被装着部１４ａａから矢印Ｇ方向に引かれる。また、被装着部１４ａａとトナーボトル２０との連結が解除され、同時に、被装着部１４ａａとトナーボトル２０との図示しないトナー補給口がシャッタによって閉鎖される。そして、トナーボトル２０は、ユーザによって被装着部１４ａａから取出し方向Ｇに抜き取られる。
【００３４】
図４は、現像器１４のトナーボトル２０に設けられたＩＣチップ保持部２１の外観斜視図である。図４（Ａ）は、ＩＣチップ保持部２１をトナーボトル２０の手前側（先端側）から見た図である。図４（Ｂ）は、ＩＣチップ保持部２１をトナーボトル２０の奥側（後端側）から見た図である。
【００３５】
図４に示すように、トナーボトル２０の外周面上には、ＩＣチップ保持部２１が設けられている。ＩＣチップ保持部２１は、トナーボトル２０の外周面上に設けられたＩＣチップ保持台２１ｄと、ＩＣチップ保持台２１ｄに形成された位置決め孔２１ａ等で構成されている。ＩＣチップ保持台２１ｄには、ＩＣ（Ｉｎｔｅｇｒａｔｅｄ  Ｃｉｒｃｕｉｔ：半導体集積回路）チップ２１ｂが設けられている。ＩＣチップ（情報伝達手段）２１ｂは、トナーボトル２０自体に関するトナーの使用量、或いは、使用限界の管理データ等の情報が、そのトナーボトル２０の固有情報として記録（記憶）されるようになっている。
【００３６】
図５は、現像器１４のハウジング１４ａのガイド部１４ｃと、ガイド部１４ｃに設けられたセンサユニット３０の外観斜視図である。図６は、図５のセンサユニット３０の図である。図６（Ａ）は、センサユニット３０の斜視図である。図６（Ｂ）は、センサユニット３０を背面側から見た図である。図６（Ｃ）は、導通部保持部材３４の外観斜視図である。図７は、図２の現像器１４において、トナーボトル２０をハウジング１４ａに挿入して回転させたときの図である。図７（Ａ）は、トナーボトル２０をハウジング１４ａに挿入したときの図である。図７（Ｂ）は、トナーボトル２０をハウジング１４ａに挿入した後、矢印Ｄ方向に回転させて、ハウジング１４ａに装着させた図である。図８は、図２の現像器１４において、トナーボトル２０をハウジング１４ａに挿入するときの図である。図８（Ａ）は、トナーボトル２０をハウジング１４ａに挿入しているときの図である。図８（Ｂ）は、トナーボトル２０をハウジング１４ａに挿入した図である。図９は、図８（Ｂ）のＩＣチップ保持部２１とセンサユニット３０との斜視図である。
【００３７】
図５、図６のセンサユニット（情報授受手段）３０は、ガイド溝１４ｅを移動可能な移動部材３２と、センサ３５を保持して移動部材３２に矢印Ｈ，Ｇ方向に移動可能に設けられた導通部保持部材３４と、圧縮コイルばね３６等を備えている。導通部保持部材３４には、ＩＣチップ保持部２１の位置決め孔２１ａに係脱可能に係合する位置決めボス３４ａが着脱方向Ｈ，Ｇ方向に向いて突設されている。
【００３８】
図５において、センサユニット３０は、センサユニット３０の移動部材３２によってガ
イド部１４ｃのガイドレール１４ｄに矢印Ｄ，Ｅ方向に移動可能に設けられている。図５、図６において、センサユニット３０のセンサ３５は、１対の電気接触子としての導通部３５ａを有している。導通部３５ａは、図４のＩＣチップ２１ｂの導電部２１ｃに接離可能に当接してＩＣチップ２１ｂと電気的に接続されるようになっている。センサ３５は、電気ケーブル等により、図１の複写機１１０の装置本体１１０Ａに設けられた制御手段としての制御部１０に接続されている。センサ３５は、トナーボトル２０の挿入時に、導通部３５ａが図４のトナーボトル２０に設けられたＩＣチップ（素子）２１ｂに接触することによって、ＩＣチップ２１ｂと制御部１０とを電気的に接続して、トナーボトル２０の情報を伝達するようになっている。すなわち、センサ３５は、ＩＣチップ２１ｂと制御部１０との間で、制御部１０によるトナーに関する情報のＩＣチップ２１ｂへの書き込み（記憶）、ＩＣチップ２１ｂからの読み取りが行えるようにしている（情報を授受可能にしている）。
【００３９】
図６（Ｂ）において、導通部保持部材３４は、コ（Ｕ）の字形状の移動部材３２に、収納されて、トナーボトル２０の挿入方向Ｈと取出し方向Ｇ方向とに移動可能に設けられている。導通部保持部材３４と移動部材３２とが対向する導通部保持部材３４側にガイド溝３４ｂが形成され、移動部材３２側にガイド突条３２ｄが突設されている。ガイド溝３４ｂとガイド突条３２ｄとは、トナーボトル２０の着脱方向Ｈ，Ｇ方向に向いて互いに係合し、導通部保持部材３４が移動部材３２に対して着脱Ｈ，Ｇ方向に移動できるように導通部保持部材３４を案内支持している。なお、ガイド溝３４ｂとガイド突条３２ｄは、２組設けられているが、一方の組みのみ図示して、他方の組みは図示省略してある。
【００４０】
図６（Ｂ）、（Ｃ）において、導通部保持部材３４と移動部材３２との間には、導通部保持部材３４を移動部材３２から離れる方向Ｇに付勢する１対の圧縮コイルばね３６が設けられている。このため、導通部保持部材３４は、圧縮コイルばね３６の伸長力によって移動部材３２に対して矢印Ｇ方向に常時付勢されている。導通部保持部材３４は、圧縮コイルばね３６によって矢印Ｇ方向に移動部材３２から押し出される恐れがあるため、図６（Ａ）の移動部材３２に突設してある４つの受け止め爪３２ｃに受け止められるようになっている。なお、受け止め爪３２ｃは、弾性を有して、移動部材３２の内側に倒れやすくなっている。このため、導通部保持部材３４を移動部材３２に組み込むときには、導通部保持部材３４で受け止め爪３２ｃを押し倒して、導通部保持部材３４のガイド溝３４ｂを移動部材３２のガイド突条３２ｄに係合させる。このことによって、導通部保持部材３４を移動部材３２に組み込むことができる。
【００４１】
図６（Ｂ）に示すように、移動部材３２の背面には、ガイド部３２ａと、ガイド爪３２ｂが突設されている。ガイド部３２ａと、ガイド爪３２ｂは、図５、図７に示す、ガイド部１４ｃに設けられたガイドレール１４ｄのガイド溝１４ｅに係合するようになっている。ガイド部３２ａは、移動部材３２がガイド溝１４ｅに沿って移動できるように、ガイド溝１４ｅに嵌合している。また、ガイド爪３２ｂは、移動部材３２がガイド溝１４ｅから外れないように、ガイド溝１４ｅに係合している。
【００４２】
図１、図５において、制御部１０は、ＣＰＵ（Ｃｅｎｔｒａｌ  Ｐｒｏｃｅｓｓｉｎｇ  Ｕｎｉｔ：中央演算装置）１０Ａを備えている。また、制御部１０は、記憶手段となるＲＯＭ（Ｒｅａｄ  Ｏｎｌｙ  Ｍｅｍｏｒｙ：リードオンリメモリ）１０Ｂと、ＲＡＭ（Ｒａｎｄａｍ  Ａｃｃｅｓｓ  Ｍｅｍｏｒｙ：ランダムアクセスメモリ）１０Ｃとを備えている。さらに、制御部１０は、複写機の装置本体１１０Ａに設けられた、操作部や表示部等を有する操作パネル５１に接続されている。
【００４３】
ＲＯＭ１０Ｂには、複写機１１０を制御するための各種制御プログラムや各種設定値、初期値等が記憶されている。ＲＡＭ１０Ｃは、各種制御プログラムが読み出される作業領域として、或いは、画像データを一時的に記憶する記憶領域として使用される。ＣＰＵ１０Ａは、ＲＯＭ１０Ｂから読出した制御プログラムや各種センサから送られる信号によって、その処理結果をＲＡＭ１０Ｃに記憶させながら、複写機の各部を制御するようになっている。
【００４４】
以上のＩＣチップ保持部２１とセンサユニット３０との構成において、図２、図３、図８に示すように、ユーザが、現像器１４のガイド部１４ｃにトナーボトル２０を挿入する。このとき、センサユニット３０は、自重によりガイド溝１４ｅの下端に待機している。トナーボトル２０は、ガイド部１４ｃと被装着部１４ａａとに対して図示しないガイド機構に案内されて矢印Ｄ，Ｅ方向への回転止めをされて、ガイド部１４ｃを案内にして被装着部１４ａａに挿入される。
【００４５】
このため、図８（Ｂ）、図９に示すように、ＩＣチップ保持台２１ｄの位置決め孔２１ａは、導通部保持部材３４の位置決めボス３４ａに円滑に係合する。多少相対位置にずれがあっても、位置決めボス３４ａの先端３４ａａ（図６、図９）は、裁頭円錐状に形成されているため、円滑に係合することができる。なお、センサユニット３０は、自重によりガイド溝１４ｅの下端に待機しているが、マグネットやトグル機構によって待機位置に待機させておいてもよい。
【００４６】
位置決め孔２１ａと位置決めボス３４ａとが係合した状態で、トナーボトル２０がガイド部１４ｃに案内されて被装着部１４ａａに挿入されると、ＩＣチップ２１ｂがセンサ３５の１対の導通部３５ａに当接する。導通部３５ａは、センサ３５の本体に対して突出する方向（矢印Ｇ方向）に図示しないばねに押されているため、ＩＣチップ２１ｂが当接すると、センサ３５の本体内に多少押し込まれて、ＩＣチップ２１ｂに対して接触不良を起こさないようになっている。
【００４７】
なお、トナーボトル２０がガイド部１４ｃに案内されて被装着部１４ａａに挿入されるとき、トナーボトル２０が被装着部１４ａａに勢いよく装着されることがある。このような場合、ＩＣチップ２１ｂがセンサ３５の１対の導通部３５ａを押し込み、ＩＣチップ保持台２１ｄがセンサ３５に当接することがある。このようなことが起きても、センサ３５は、導通部保持部材３４とともに、トナーボトル２０の挿入方向Ｈに、圧縮コイルばね３６に抗して移動して、当接による衝撃を和らげられて、破損を防止されている。また、ＩＣチップ２１ｂも破損を防止される。
【００４８】
トナーボトル２０は、位置決め孔２１ａを位置決めボス３４ａに係合させて、さらに、ハウジング１４ａに挿入されると、トナーボトル２０に設けられた図示しない凸部が被装着部１４ａａに設けられた図示しないストッパに突き当たる。これによりトナーボトル２０は図３（Ａ）に示す挿入位置に位置決めされる。
【００４９】
図７（Ａ）に示すように、トナーボトル２０は、ユーザによって、ガイド部１４ｃと被装着部１４ａａとの内部で周方向（矢印Ｄ方向）に回転させられる。この回転時においても、ＩＣチップ保持台２１ｄの位置決め孔２１ａと導通部保持部材３４の位置決めボス３４ａは、係合したままである。このため、トナーボトル２０は、ＩＣチップ保持台２１ｄとセンサユニット３０は接触を維持したまま、図７（Ｂ）の補給位置（装着位置）まで回転させられて、装着位置に装着させられる。
【００５０】
図７（Ｂ）の状態において、制御部１０は、ＩＣチップ２１ｂにトナーボトル２０に関する情報の記憶、読出しを行う。
【００５１】
なお、以上の説明において、導通部保持部材３４と圧縮コイルばね３６とを省略して、センサ３５と位置決めボス３４ａとを移動部材３２に直接設けても良い。
【００５２】
以上の現像器１４は（図８、図９）、外周にＩＣチップ２１ｂを取付けられたトナーボトル２０を被装着部１４ａａへ挿入する途中において、トナーボトル２０の挿入方向Ｈで、ＩＣチップ２１ｂとセンサ３５の導通部３５ａとが接触するようになっている。そして、トナーボトル２０の装着位置への回転途中においても、ＩＣチップ２１ｂとセンサ３５の導通部３５ａとの接触状態が維持されるようになっている。
【００５３】
このように、ＩＣチップ２１ｂとセンサ３５の導通部３５ａは、トナーボトル２０の挿入中に挿入方向Ｈで接触状態になるので、従来と異なってトナーボトル２０の回転中に接触状態になることがない。このため、ＩＣチップ２１ｂとセンサ３５の導通部３５ａは、トナーボトル２０の回転中の接触による損傷と接触不良とを防止されるようになっている。したがって、現像器１４は、長期間使用できるとともに、トナーボトルに関する情報の読出し、書き込みを確実に行うことができる。
【００５４】
また、複写機１１０は、ＩＣチップ２１ｂとセンサ３５の導通部３５ａとの損傷を少なくした現像器１４を備えているので、現像器１４からのトナーの供給不足が生じることがなく、トナー画像の品質の低下を防止することができる。
【００５５】
（第２実施形態の現像器）
本発明の第２実施形態の現像器２１４を図１０乃至図１６に基づいて説明する。図１０乃至図１５において、図２乃至図９と同一部分については同一符号を付してその部分の説明を簡略化するか省略する。
【００５６】
図１０は、本発明のトナー容器装着装置としての現像器２１４のハウジング１４ａにトナーボトル２０を装着するときの現像器２１４の外観斜視図である。図１１は、現像器２１４のハウジング１４ａにトナーボトル２０を装着する装着動作説明用の現像器２１４の外観斜視図である。図１１（Ａ）は、図１０の現像器２１４のハウジング１４ａにトナーボトル２０を挿入した図である。図１１（Ｂ）は、図１１（Ａ）の挿入状態からトナーボトル２０を矢印Ｄ方向に約９０度回転させて、トナーボトル２０の装着を完了した図である。
【００５７】
図１０における現像器２１４も、感光ドラム１１８と対向して複写機１１０の装置本体１１０Ａ内に配置されて、感光ドラム１１８にトナー（現像剤）を供給し、感光ドラム１１８上の静電潜像をトナー画像として、可視像化するようになっている。図１０、図１１において、現像器２１４は、ハウジング（容器支持手段）１４ａ、現像スリーブ（トナー現像部）１４ｂ、トナーボトル（トナー収納容器）２０、ＩＣチップ保持部２２１及びセンサユニット（情報授受手段）２３０等で構成されている。
【００５８】
ハウジング１４ａの一方の端部には、現像スリーブ１４ｂが設けられている。ハウジング１４ａの他方の端部は、トナーボトル２０が着脱される被装着部１４ａａになっている。被装着部１４ａａの入口には、ハウジング１４ａの一部を形成する、長さの短い円筒状のガイド部２１４ｃがボルト・ナット１４ｆによって取付けられている。
【００５９】
図１２は、トナーボトル２０の外観斜視図である。図１２（Ａ）は、トナーボトル２０を手前側から見た外観斜視図である。図１２（Ｂ）は、図１２（Ａ）のＩＣチップ保持部２２１の拡大図である。図１２（Ｃ）は、トナーボトル２０の奥側の部分の斜視図である。
【００６０】
図１２において、トナーボトル２０は、トナーを供給するトナー供給口（トナー供給部）２０ｂが形成された容器本体２０ａと、容器本体２０ａに矢印Ｄ，Ｅ方向に回動可能（移動可能）に設けられてトナー供給口２０ｂを開閉する開閉蓋２０ｃ等を有している。開閉蓋２０ｃの回転端部の縁には、後述するリブ２０ｅが突条に形成されている。開閉蓋２０ｃの奥側でリブ２０ｅの終端には、ＩＣチップ２１ｂが設けられたＩＣチップ保持部２２１が設けられている。ＩＣチップ（情報伝達手段）２１ｂは、ＩＣチップ保持部２２１の背面側に設けられている。
【００６１】
図１３は、現像器２１４のハウジング１４ａの内部に設けられたセンサユニット２３０の外観図である。図１３（Ａ）は現像器２１４の正面図でありセンサユニットの配置を示した図である。図１３（Ｂ）は図１３（Ａ）のＦ−Ｆ矢視断面図である。図１４は図１３（Ｂ）のセンサユニット２３０周辺の拡大図である。
【００６２】
また、開閉蓋２０ｃの開閉端部には、トナーボトル２０を被装着部１４ａａに挿入するとき、トナーボトル２０の案内ガイド及び回転止めの役目をするリブ２０ｅが突設されている。リブ２０ｅは突条に突設されている。また、図１２（Ｃ）のトナーボトル２０の奥側の端部（後端部）の中央には、回転支持孔２０ｆが形成されている。さらに、トナーボトル２０の奥側の端部（後端部）の中央には、回転支持孔２０ｆと中心が一致する従動歯車２０ｈが一体に設けられている。
【００６３】
これに対して、図１３の被装着部１４ａａの奥壁１４ａｃの中心には、位置決めボス１４ｇが手前側（矢印Ｇ方向）に突設されている。回転支持孔２０ｆと位置決めボス１４ｇは、トナーボトルが被装着部１４ａａに装着されると、互いに嵌合して、トナーボトルの容器本体２０ａが被装着部１４ａａ内で矢印Ｄ，Ｅ方向に回転できるように、容器本体をハウジング１４ａに支持するようになっている。また、被装着部１４ａａの奥壁１４ａｃには、トナーボトル２０の従動歯車２０ｈと噛合うアイドル歯車１４ｊが設けられている。さらに、ハウジング１４ａには、アイドル歯車１４ｊと噛合っている駆動歯車１４ｈが設けられている。駆動歯車１４ｈは、不図示のモータによって回転するようになっている。
【００６４】
図１３、図１４のセンサユニット（接触子支持手段）２３０は、現像器２１４のハウジング１４ａの被装着部１４ａａ内に設けられている。センサユニット２３０は、被装着部１４ａａの円筒状の内壁の奥に取付けられている。図１４において、センサユニット２３０は、フレーム４２、センサ４５等で構成されている。フレーム４２は、被装着部１４ａａに固定されている。センサ４５は、矢印Ｈ，Ｇ方向に移動自在にフレーム４２に設けられている。センサ４５とフレーム４２との間には、図６に示すばね３６と同様な不図示のばねが設けられている。このため、センサ４５は、矢印Ｇ方向に常時付勢されている。
【００６５】
センサ４５は、１対の電気接触子としての導通部４５ａを有している。導通部４５ａは、図１２（Ｃ）のＩＣチップ２１ｂの導電部２１ｃに接離可能に当接してＩＣチップ２１ｂと電気的に接続されるようになっている。センサ４５は、電気ケーブル等により、図１の複写機１１０の装置本体１１０Ａに設けられた制御手段としての制御部１０に接続されている。センサ４５は、トナーボトル２０の挿入時に、導通部４５ａが図１２のトナーボトル２０に設けられたＩＣチップ（素子）２１ｂに接触することによって、ＩＣチップ２１ｂと制御部１０とを電気的に接続して、トナーボトル２０の情報を伝達するようになっている。すなわち、センサ４５は、ＩＣチップ２１ｂと制御部１０との間で、制御部１０によるトナーに関する情報のＩＣチップ２１ｂへの書き込み（記憶）、ＩＣチップ２１ｂからの読み取りが行えるになっている（情報を授受可能にしている）。
【００６６】
図１５は、トナーボトル２０をハウジング１４ａに挿入して回転させたときの図である。図１５（Ａ）は、トナーボトル２０をハウジング１４ａに挿入したときの図である。図１５（Ｂ）は、トナーボトル２０をハウジング１４ａに挿入した後、矢印Ｄ方向に回転させて、装着位置に装着させた図である。図１６は、図１５の概略模式図である。図１６（Ａ）は、図１５（Ａ）に対応する図である。図１６（Ｂ）は、図１５（Ｂ）に対応する図である。
【００６７】
図１５、図１６において、ハウジング１４ａの被装着部１４ａａと中間部１４ａｂとの間には、トナーボトル２０のトナー供給口２０ｂと対向するトナー受給口１４ａｅが形成されている。トナー受給口１４ａｅは、ハウジング１４ａの手前側から奥側に向けて形成されている。トナー受給口１４ａｅは、矢印Ｄ，Ｅ方向に回転する不図示のシャッタによって開閉されるようになっている。トナー受給口１４ａｅの上側の傍の被装着部１４ａａには、手前側から奥側に向けてストッパ１４ａｄが設けられている。ストッパ１４ａｄは、上面が平坦に形成されている。ストッパ１４ａｄは、開閉蓋２０ｃのリブ２２ｅを受け止めるようになっている。図１５において、被装着部１４ａａには、段部１４ａｆが手前側から奥側に形成されている。段部１４ａｆには、開閉蓋２０ｃのリブ２０ｅが形成された反対側の側端部２０ｃａが受け止められるようになっている。被装着部１４ａａに形成されたストッパ１４ａｄと段部１４ａｆとの間には、トナーボトル２０を被装着部１４ａａに装着したとき開閉蓋２０ｃを受け入れられようになっている。このため、ストッパ１４ａｄと段部１４ａｆは、トナーボトル２０の容器本体２０ａが矢印Ｄ，Ｅ方向に回転しても、開閉蓋２０ｃを回転規制するようになっている。
【００６８】
トナーボトル２０を被装着部１４ａａに装着する動作を説明する。図１０において、ユーザがトナーボトル２０を、ガイド部２１４ｃを案内にして、被装着部１４ａａに矢印Ｈ方向に挿入する。このとき、トナーボトル２０の開閉蓋２０ｃのリブ２０ｅが被装着部１４ａａのストッパ１４ａｄに案内され、開閉蓋２０ｃの側端部２０ｃａが被装着部１４ａａの段部１４ａｆに案内されて、トナーボトル２０は、被装着部１４ａａに挿入される。
【００６９】
トナーボトル２０が被装着部１４ａａの奥まで挿入されると、回転支持孔２０ｆと位置決めボス１４ｇとが互いに嵌合する。この嵌合によって、トナーボトル２０の容器本体２０ａは、被装着部１４ａａ内で矢印Ｄ，Ｅ方向に回転できるようになる。また、トナーボトル２０が被装着部１４ａａの奥まで挿入されると、トナーボトル２０の容器本体２０ａに設けられている従動歯車２０ｈが被装着部１４ａａの奥壁１４ａｃに設けられているアイドル歯車１４ｊに噛み合う。さらに、トナーボトル２０に設けられているＩＣチップ２１ｂが、センサユニット２３０の導通部４５ａに当接して、制御部１０と導通状態になる。
【００７０】
このような状態で、アイドル歯車１４ｊに噛み合っている駆動歯車１４ｈが不図示のモータによって回転する。すると、アイドル歯車１４ｊに噛み合っているトナーボトル２０の容器本体２０ａと一体の従動歯車２０ｇが、容器本体２０ａと一体に回転する。容器本体２０ａは、矢印Ｄ方向に回転して図１１（Ａ）の状態になる。しかし、開閉蓋２０ｃは、図１５（Ｂ）、図１６（Ｂ）に示すように、ストッパ１４ａｄに受け止められてトナーボトル２０と一体に回転できない。このため、容器本体２０ａのトナー供給口２０ｂが、トナーボトルの回転にともなって、開いていく。また、容器本体２０ａが矢印Ｄ方向に回転しても、開閉蓋２０ｃは、回転しないことによって、開閉蓋２０ｃに設けられている１Ｃチップ２１ｂも矢印Ｄ方向に回転しないことになる。すなわち、ＩＣチップ２１ｂとセンサユニット２３０の導通部４５ａは、互いに接触状態を維持されて、センサユニット２３０が設けられた位置に留まっている。
【００７１】
トナーボトル２０の容器本体２０ａは、トナー供給口２０ｂが開き終わる間に、ハウジング１４ａのトナー受給口１４ａｅを閉じていた不図示のシャッタも矢印Ｄ方向に回転させて、トナー受給口１４ａｅを開く。トナー供給口２０ｂとトナー受給口１４ａｅとが開かれると、トナーボトル２０の容器本体２０ａ内のトナーがハウジング１４ａに供給される。
【００７２】
トナーボトル２０が空になったとき、或いはメンテナンス時にトナーボトル２０を被装着部１４ａａから抜き取るには、手動にてトナーボトル２０の容器本体２０ａを図１１（Ｂ）の状態から矢印Ｅ方向へ回転させる。開閉蓋２０ｃは、ストッパ１４ａｄと段部１４ａｆとによって回転規制されているため、図１５（Ｂ）、図１６（Ｂ）に示す位置に留まって回転しない。しかし、トナーボトル２０の容器本体２０ａは、矢印Ｅ方向へ回転する。容器本体２０ａが矢印Ｅ方向へ回転すると、トナー供給口２０ｂが開閉蓋２０ｃに対向して開閉蓋２０ｃによって閉じられる。この間に、ハウジング１４ａのトナー受給口１４ａｅを開いていた不図示のシャッタも矢印Ｅ方向に回転してトナー受給口１４ａｅを閉じる。トナーボトルの容器本体２０ａが矢印Ｅ方向へ回転する場合においても、開閉蓋２０ｃは、矢印Ｅ方向へ回転しないため、ＩＣチップ２１ｂとセンサユニット２３０の導通部４５ａは互いに接触状態を維持されて、センサユニットが設けられた位置に留まっている。
【００７３】
トナーボトル２０の容器本体２０ａは、所定の回転角だけ、矢印Ｅ方向へ回転すると、回転を停止する。ユーザがトナーボトル２０を矢印Ｇ方向へ引くことによって、トナーボトル２０は、被装着部１４ａａから抜き取られる。このとき、ＩＣチップ２１ｂは、センサユニット２３０の導通部４５ａから離間する方向に離れて、導通部４５ａとの接触状態が解除される。
【００７４】
以上の現像器２１４は、外周にＩＣチップ２１ｂを取付けられたトナーボトル２０を現像器２１４の被装着部１４ａａへ挿入する途中において、トナーボトル２０の挿入方向Ｈで、ＩＣチップ２１ｂとセンサ４５の導通部４５ａとが接触するようになっている。そして、トナーボトル２０の容器本体２０ａが装着位置へ回転しても、ＩＣチップ２１ｂとセンサ４５の導通部４５ａは、接触状態を維持されたままで、回転しないようになっている。そして、トナーボトル２０を被装着部１４ａａから抜き取るとき、トナーボトル２０の取出し方向Ｇで、ＩＣチップ２１ｂがセンサ４５の導通部４５ａから離間するようになっている。
【００７５】
このように、ＩＣチップ２１ｂとセンサ４５の導通部４５ａは、トナーボトル２０の挿入中に挿入方向Ｈで接触状態になるので、従来と異なって、トナーボトル２０の回転中に接触状態になることがなく、損傷と接触不良とを防止するようになっている。したがって、第２実施形態の現像器２１４においても、長期間使用できるとともに、トナーボトルに関する情報の読出し、書き込みを確実に行うことができる。
【００７６】
また、複写機１１０は、ＩＣチップ２１ｂとセンサ４５の導通部４５ａとの損傷を少なくした現像器２１４を備えているので、現像器２１４からのトナーの供給不足が生じることがなく、トナー画像の品質の低下を防止することができる。
【００７７】
なお、以上の説明では、ＩＣチップ２１ｂにトナーボトル２０に関する情報を記憶するようになっているが、ＩＣチップの代わりに、ＲＦＩＤを使用してもよい。
【符号の説明】
【００７８】
１０：制御部（制御手段）、１４：現像器（トナー容器装着装置）、１４ａ：ハウジング（容器支持手段）、１４ａａ：被装着部、１４ｂ：現像スリーブ（トナー現像部）、１４ｃ：ガイド部、１４ｄ：ガイドレール（ガイド手段）、２０：トナーボトル（トナー収納容器）、２０ａ：容器本体、２０ｂ：トナー供給口（トナー供給部）、２０ｃ：開閉蓋、２１：ＩＣチップ保持部、２１ａ：位置決め孔、２１ｂ：ＩＣチップ（情報伝達手段、素子）、２１ｃ：導電部、２１ｄ：ＩＣチップ保持台、３０：センサユニット（情報授受手段）、３２：移動部材、３４：導通部保持部材、３４ａ：位置決めボス、３５：センサ、３５ａ：導通部（電気接触子）、３６：圧縮コイルばね、４５：センサ、４５ａ：導通部（電気接触子）、５１：操作パネル、１１０：複写機（画像形成装置）、１１０Ａ：複写機本体（画像形成装置の装置本体）、１１８：感光ドラム、１７０：画像形成部（画像形成手段）、１２１：定着器（定着手段）、２１４：現像器（トナー容器装着装置）、２２１：ＩＣチップ保持部、２３０：センサユニット（情報授受手段）、Ｈ：トナーボトルの挿入方向、Ｇ：トナーの取出し方向、Ｈ，Ｇ：トナーボトルの着脱方向、Ｄ，Ｅ：トナーボトルの回転方向（異なる方向）、Ｐ：シート。
【図１】
2017078785.tif 000003
【図２】
2017078785.tif 000004
【図３】
2017078785.tif 000005
【図４】
2017078785.tif 000006
【図５】
2017078785.tif 000007
【図６】
2017078785.tif 000008
【図７】
2017078785.tif 000009
【図８】
2017078785.tif 000010
【図９】
2017078785.tif 000011
【図１０】
2017078785.tif 000012
【図１１】
2017078785.tif 000013
【図１２】
2017078785.tif 000014
【図１３】
2017078785.tif 000015
【図１４】
2017078785.tif 000016
【図１５】
2017078785.tif 000017
【図１６】
2017078785.tif 000018